(57)【特許請求の範囲】
【請求項１】
ダクトレールに取り付けられる照明装置において、
ＬＥＤ素子を光源として備える灯体と、
前記ダクトレールに取り付けられるプラグボックスと、
前記ＬＥＤ素子に点灯電力を供給する電源回路と、
前記灯体と前記プラグボックスとを連結するアームと
を備え、
前記灯体は、前記電源回路を構成する複数の回路部品のうち１以上の回路部品を、前記ＬＥＤ素子を表面に搭載するベース部の裏側に備え、
前記灯体は前記ベース部の裏面に複数のフィンが設けられてなるヒートシンクを備え、
前記ヒートシンクを裏側から見たときに、前記複数のフィンは前記ベース部の中央部分の外側部分に設けられ、前記１以上の回路部品は前記ベース部の中央部分に配された電源ボックスに収容され、
前記ベース部は円板状をし、
前記電源ボックスは、裏側から見たときに矩形状をし、前記複数の回路部品のすべてを収容し、
前記フィンは、前記電源ボックスにおける前記矩形状の一対の長辺に相当する長側壁から離間した状態で径方向の外方へと延伸し、
前記電源ボックスは、前記ベース部の裏面に対向する底壁に前記ベース部へと向かって板状に延伸する一対の延伸板部を有し、
前記一対の延伸板部が前記ベース部と当接する状態で前記電源ボックスが前記ベース部に固定されている
照明装置。
【請求項２】
ダクトレールに取り付けられる照明装置において、
ＬＥＤ素子を光源として備える灯体と、
前記ダクトレールに取り付けられるプラグボックスと、
前記ＬＥＤ素子に点灯電力を供給する電源回路と、
前記灯体と前記プラグボックスとを連結するアームと
を備え、
前記灯体は、前記電源回路を構成する複数の回路部品のうち１以上の回路部品を、前記ＬＥＤ素子を表面に搭載するベース部の裏側に備え、
前記灯体は前記ベース部の裏面に複数のフィンが設けられてなるヒートシンクを備え、
前記ヒートシンクを裏側から見たときに、前記複数のフィンは前記ベース部の中央部分の外側部分に設けられ、前記１以上の回路部品は前記ベース部の中央部分に配された電源ボックスに収容され、
前記ベース部は円板状をし、
前記電源ボックスは、裏側から見たときに矩形状をし、前記複数の回路部品のすべてを収容し、
前記フィンは、前記電源ボックスにおける前記矩形状の一対の長辺に相当する長側壁から離間した状態で径方向の外方へと延伸し、
前記ヒートシンクは前記アームに取り付けられる一対の取付部を前記ベース部の裏側に有し、
前記一対の取付部は、前記ベース部を裏側から見たときに、前記電源ボックスにおける前記矩形状の一対の短辺に相当する部位の外側部分から裏側に板状に延伸している
照明装置。
【発明の詳細な説明】
【技術分野】
【０００１】
本発明は設置面のダクトレールに取り付けられる照明装置に関する。
【背景技術】
【０００２】
近年、環境意識の高まりから、省電力化に優れたＬＥＤを光源に使用したＬＥＤ照明装置が盛んに用いられるようになり、ダクトレールに取り付けられて使用されるスポットライトにもＬＥＤが使用されている。
スポットライトは、ＬＥＤを光源として有する灯体と、ダクトレールへ取り付けられ電源プラグや固定プラグを有するプラグボックスと、灯体とプラグボックスとを連結するアームとを備える（例えば特許文献１、２）。プラグボックスには灯体のＬＥＤに電力を供する電源回路が収容されている。
【先行技術文献】
【特許文献】
【０００３】
【特許文献１】特開２０１３−２６１３５号公報
【特許文献２】特開２０１２−２２１７７１号公報
【発明の概要】
【発明が解決しようとする課題】
【０００４】
スポットライトをダクトレールへ取り付ける場合、アーム及び灯体はプラグボックスに対して回転自在な構造となっているため、取付者がプラグボックスを把持して行うことが多い。この際、プラグボックスが大きすぎたり小さすぎたりすると、プラグボックスを把持し難い。
本発明は、プラグボックスの大きさを最適化しやすい照明装置を提供することを目的とする。
【課題を解決するための手段】
【０００５】
本発明に係る照明装置は、ダクトレールに取り付けられる照明装置において、ＬＥＤ素子を光源として備える灯体と、前記ダクトレールに取り付けられるプラグボックスと、前記ＬＥＤ素子に点灯電力を供給する電源回路と、前記灯体と前記プラグボックスとを連結するアームとを備え、前記灯体は、前記電源回路を構成する複数の回路部品のうち１以上の回路部品を、前記ＬＥＤ素子を表面に搭載するベース部の裏側に備える。
【発明の効果】
【０００６】
上記構成によれば、電源回路の少なくとも一部が灯体側に収容される。このため、プラグボックスを小さくすることも可能となり、プラグボックスの大きさを最適化しやすい。
【図面の簡単な説明】
【０００７】
【図１】実施形態に係る照明装置の正面図である。
【図２】実施形態に係る照明装置の分解状態を表側から見た斜視図である。
【図３】実施形態に係る照明装置の分解状態を裏側から見た斜視図である。
【図４】実施形態に係る照明装置の断面図である。
【図５】照明装置のカバーを取り外した状態を表側から見た斜視図である。
【図６】灯体のカバーを取り外した分解状態を表側から見た斜視図である。
【図７】灯体のカバーを取り外し、フィン部と電源回路ユニットの裏側部分を切断した状態を裏側から見た斜視図である。
【図８】電源ボックスを表側から見た斜視図である
【図９】電源ボックスを裏側から見た斜視図である。
【図１０】電源回路ユニットの分解状態を裏側から見た図である。
【図１１】電源回路ユニットの分解状態を表側から見た図である。
【図１２】プラグボックスの分解状態を表側から見た斜視図である。
【図１３】プラグボックスの分解状態を裏側から見た斜視図である。
【図１４】プラグボックスの筐体を取り外した状態を裏側から見た斜視図である。
【発明を実施するための形態】
【０００８】
＜概要＞
実施形態の一態様に係る照明装置は、ダクトレールに取り付けられる照明装置において、ＬＥＤ素子を光源として備える灯体と、前記ダクトレールに取り付けられるプラグボックスと、前記ＬＥＤ素子に点灯電力を供給する電源回路と、前記灯体と前記プラグボックスとを連結するアームとを備え、前記灯体は、前記電源回路を構成する複数の回路部品のうち１以上の回路部品を、前記ＬＥＤ素子を表面に搭載するベース部の裏側に備える。
実施形態の別態様に係る照明装置において、前記灯体は前記ベース部の裏面に複数のフィンが設けられてなるヒートシンクを備え、前記ヒートシンクを裏側から見たときに、前記複数のフィンは前記ベース部の中央部分の外側部分に設けられ、前記１以上の回路部品は前記ベース部の中央部分に配された電源ボックスに収容されている。これにより、灯体の小型化を図ることができる。
実施形態の別態様に係る照明装置において、前記ベース部は円板状をし、前記電源ボックスは、裏側から見たときに矩形状をし、前記複数の回路部品のすべてを収容し、前記フィンは、前記電源ボックスにおける前記矩形状の一対の長辺に相当する長側壁から離間した状態で径方向の外方へと延伸する。これにより、点灯時のヒートシンクの熱が電源ボックスに伝わるのを抑制できる。なお、ここでのベース部の「円板状」は、裏側から見たときに、真円状、楕円状、円や楕円の一部が欠けた形状、六角形等多角形状を含む概念である。ここでの電源ボックスの「矩形状」は、裏側から見たときに、矩形状、矩形状に似た形状を含み、矩形状に似た形状には、矩形状の隅部分を直線状にしたり（この場合、八角形となる）、隅部分を円弧にしたりした形状がある。
実施形態の別態様に係る照明装置において、前記電源ボックスは、前記ベース部の裏面に対向する底壁に前記ベース部へと向かって板状に延伸する一対の延伸板部を有し、前記一対の延伸板部が前記ベース部と当接する状態で前記電源ボックスが前記ベース部に固定されている。これにより電源ボックスの底壁がベース部に直接接触するのを防止できる。
実施形態の別態様に係る照明装置において、前記ヒートシンクは前記アームに取り付けられる一対の取付部を前記ベース部の裏側に有し、前記一対の取付部は、前記ベース部を裏側から見たときに、前記電源ボックスにおける前記矩形状の一対の短辺に相当する部位の外側部分から裏側に板状に延伸している。これにより、灯体の小型化を図ることができる。
【０００９】
＜実施形態＞
１．概要
実施形態について図１〜図４を用いて説明する。
照明装置１は、天井等のダクトレール（図示省略）に取り付けられて使用する、所謂、スポットライトである。
照明装置１は、ＬＥＤ素子３７１を光源として備える灯体３と、ダクトレールに取り付けられるプラグボックス５と、ＬＥＤ素子３７１に点灯電力を供給する電源回路７（図４参照）と、灯体３とプラグボックス５とを連結するアーム８とを備え、図４に示すように、電源回路７が灯体３内に収容されている。
本明細書では、天井等の設置面側を裏側とし、設置面から離れる側を表側とする。例えば、照明装置においてはプラグボックス５に対して灯体３が位置する側（床面側）は表側となる。また、各部材において表側に位置する面を表面、裏側に位置する面を裏面とそれぞれしている。
【００１０】
２．各部構成
（１）灯体
主に図４〜図６を用いて説明する。
灯体３は、ＬＥＤ素子３７１を表面に搭載し且つ裏面に複数個のフィン３１３を有するヒートシンク３１と、電源ボックス７１に収容された電源回路７とを有底筒状のカバー３３（図２及び図３等参照）の内部に有している。灯体３はヒートシンク３１の表面側にレンズ部材３５を有する。なお、ＬＥＤ素子３７１はＬＥＤ基板３７３に実装されてなるＬＥＤモジュール３７の形態でヒートシンク３１の表側に装着されている。なお、電源ボックス７１内に電源回路７が収容されたものを電源回路ユニット７７として説明する。
【００１１】
（１−１）ヒートシンク
主に図６を用いて説明する。
ヒートシンク３１は、円板状のベース部３１１と、ベース部３１１の裏面から裏側に延伸するフィン３１３を複数有するフィン部３１５と、ヒートシンク３１をアーム８に取り付けるための取付部３１７とを有する。ヒートシンク３１は、熱伝導の良い金属材料、例えばアルミニウムにより構成されている。なお、取付部はベース部又はフィン部にあってもよい。
ベース部３１１は貫通孔やねじ穴を有している。ベース部３１１の中央部分に設けられた貫通孔３１１ａは電源回路ユニット７７から延出する一対の金属ピン７５用である。なお金属ピン７５は電源回路７とＬＥＤモジュール３７とを電気的に接続する。
ベース部３１１の中央部分に設けられた貫通孔３１１ｂは、電源回路ユニット７７をヒートシンク３１に固定するためのもので、ねじ体９１が挿通する。ベース部３１１の中央部分の外側部分に設けられたねじ穴３１１ｃは、ＬＥＤモジュール３７をヒートシンク３１に固定するためのもので、ねじ体９２が螺合する。ベース部３１１の周縁付近に設けられたねじ孔３１１ｄは、レンズ部材３５をヒートシンク３１に固定するためのもので、ねじ体９３が螺合する。
【００１２】
ベース部３１１の裏側の中央部分には、図４及び図５等に示すように、電源回路ユニット７７が配される。フィン３１３は、複数本あり、ベース部３１１の中央部分の外側部分に板状で立設されている。複数本のフィン３１３の立設高さは略同一となっている。ヒートシンク３１及び電源回路ユニット７７を裏側から見たときに、図７に示すように、矩形状の電源ボックス７１内に電源回路７を収容しており、フィン３１３は電源ボックス７１の長辺に相当する一対の長側壁が存在する部位からベース部３１１の外周縁に向かって延伸する。ここでの複数個のフィン３１３は電源ボックス７１の長側壁と離間して放射状に延伸している。フィン３１３は一対の取付部３１７を結ぶ仮想線に対して線対称に設けられている。フィン３１３は、裏側からみたときに、図７に示すように、径方向に延伸するように設けられている。フィン３１３はベース部３１１の周縁に近い側の端部が円柱状となっている。この円柱の直径は、フィン３１３における円柱部分を除く部分の厚みより大きい。
取付部３１７は、ベース部３１１の裏面であってベース部３１１の中央部分を挟んだ２か所の外側部分から裏側へと延伸し、他方の取付部３１７に向かうねじ孔３１７ａを有している。ねじ孔３１７ａには、図２〜図４に示すように、アーム８と連結するためのねじ体８５が螺合する。
【００１３】
（１−２）ＬＥＤモジュール
主に図６を用いて説明する。
ＬＥＤモジュール３７は複数個のＬＥＤ素子３７１とＬＥＤ基板３７３とから構成される。ＬＥＤ基板３７３は貫通孔を有している。中央部の一対の貫通孔３７３ａは電源ボックス７１から延出する一対の金属ピン７５用である。なお、図６では貫通孔３７３ａは１個現れているが、実際には２個ある。周縁に近い部分の貫通孔３７３ｂはＬＥＤモジュール３７を固定するためのものでねじ体９２が挿通する。
ＬＥＤモジュール３７は金属ピン７５と接触する金属バネ片３７５をＬＥＤ基板３７３に有する。金属バネ片３７５は薄肉の矩形状の金属板を長手方向の中央で屈曲させてなる。
ＬＥＤ基板３７３は、図４に示すように、ベース部３１１の表面に裏面が接触する状態でベース部３１１に固定される。
【００１４】
（１−３）レンズ部材
主に図４及び図６を用いて説明する。
レンズ部材３５は、各ＬＥＤ素子３７１に対向して配される複数個のレンズ３５１と、複数個のレンズ３５１をＬＥＤ素子３７１と反対側で連結する連結板３５３と、連結板３５３の外周縁からベース部３１１に向かって筒状に延伸する筒部３５５と、レンズ部材３５をヒートシンク３１に固定するための固定部３５７とを有している。
筒部３５５の内径は、図４に示すように、ＬＥＤ基板３７３の外径よりも大きい。固定部３５７は筒部３５５から筒部３５５の中心軸方向に凹入した部分（ＬＥＤ基板３７３上にまで凹入する）で構成され、凹入部分にねじ体９３用の溝３５７ａ（図６参照）が設けられている。なお、凹入部分及びねじ体９３は、図５に示すように、カバー体９４により塞がれる。
レンズ部材３５は、図４に示すように、固定部３５７（凹入部分）の裏面がＬＥＤ基板３７３の表面の周縁部に当接する状態でベース部３１１に固定される。なお、筒部３５５の高さはレンズ３５１とＬＥＤ素子３７１との距離が所定値となるように設定されている。また、レンズ部材３５の筒部３５５とヒートシンク３１のベース部３１１との間の隙間には、図４に示すように、後述の表側カバー３３３の内鍔部３３３ｂが嵌る。
【００１５】
（１−４）電源回路ユニット
主に図４及び図７を用いて説明する。
電源回路ユニット７７は、電源回路７を構成する回路部品（図示省略）と、回路部品を実装する回路基板７３と、回路部品及び回路基板７３を収容する電源ボックス７１とを有する。ここでは、電源回路７とＬＥＤモジュール３７との電気的接続に金属ピン７５を利用している。
【００１６】
以下、主に図８〜図１１を用いて説明する。
電源ボックス７１は、裏側から見たときに、略矩形状をし、図７に示すように、一対の長辺に相当する長側壁が一対の取付部３１７を結ぶ線分と平行となるように、ヒートシンク３１の裏面に固定される。電源ボックス７１は絶縁性の樹脂材料により構成されている。
電源ボックス７１は、長側壁と直交する方向から見たときに、表裏に長い矩形状で表側の２つの角が欠けた形状をしている。換言すると、電源ボックス７１は、中空の直方体状をし、表壁（ベース部３１１と対向する壁）の中央から表側に中空の立方体状に張り出す形状をしている。つまり、電源ボックス７１は、図８及び図９に示すように、直方体箱部７１１と立方体箱部７１３とを有している。立方体箱部７１３は直方体箱部７１１と同じ厚みで表側に張り出している。なお、ここでの厚みは一対の取付部３１７を結ぶ仮想線と直交する方向の寸法である。
【００１７】
立方体箱部７１３の幅は、図４に示すように、一対の取付部３１７間の距離よりも小さくなっている。なお、ここでの幅は一対の取付部３１７を結ぶ方向の寸法である。
電源ボックス７１は、直方体箱部７１１の表面であって直方体箱部７１１に対して間隔をおいた部位から表側に板状に延伸する延伸板部７１５を一対有している。電源回路ユニット７７がヒートシンク３１に取り付けられた状態において、一対の延伸板部７１５は一対の取付部３１７の内側に当接する又は近接する。これにより、電源回路ユニット７７が一対の取付部３１７を結ぶ仮想線方向に対して位置決めされる。一対の延伸板部７１５の表側端部の外側部分が傾斜面となっている。これにより、電源回路ユニット７７がヒートシンク３１に取り付けられる際に、一対の延伸板部７１５が一対の取付部３１７間に案内される。
【００１８】
電源ボックス７１は、直方体箱部７１１の表面であって幅方向の端部に近い部位から表側に板状に延伸する延伸板部７１７を一対有している。電源回路ユニット７７がヒートシンク３１に取り付けられた状態において、一対の延伸板部７１７はヒートシンク３１のベース部３１１に当接する。これにより、直方体箱部７１１及び立方体箱部７１３が直接ヒートシンク３１に接触することなく、電源回路ユニット７７がヒートシンク３１に取り付けられ、ヒートシンク３１からの熱の影響を少なくできる。電源ボックス７１の外表面はヒートシンク３１のベース部３１１にもフィン３１３にも面で接触しておらず、後述する裏側カバー３３１とも接触していない。これにより、電源ボックスは周囲の空気により効率的に冷却される。また、延伸板部７１７は幅方向に間隔をおいて一対設けられているので、電源ボックス７１は安定した状態でヒートシンク３１に固定される。
一対の延伸板部７１７の少なくとも一方には貫通孔７１７ａが設けられている。貫通孔７１７ａには電源回路７（回路基板７３）と電源プラグ５３とを電気的に接続する電気ケーブル（図示省略）が通る。なお、電気ケーブルは、図８に示すように、立方体箱部７１３の表壁の貫通孔７１３ａから電源ボックス７１内に導入される。
一対の延伸板部７１５及び一対の延伸板部７１７はヒートシンク３１の一対の取付部３１７を結ぶ方向に対して直交する状態で設けられ、ヒートシンク３１のフィン３１３は電源ボックス７１の長側壁から径方向に延伸している。これにより、一対の延伸板部７１５及び一対の延伸板部７１７に沿って空気が流れやすくなる。
【００１９】
電源ボックス７１の表壁、ここでは、図８に示すように、立方体箱部７１３の表壁には一対の金属ピン７５が挿通する貫通孔７１３ｂが設けられている。電源ボックス７１の表壁、ここでは、図８に示すように、立方体箱部７１３の表壁にはボス７１３ｃが設けられており、このボス７１３ｃにねじ穴７１３ｄが設けられている。ねじ穴７１３ｄには、図６に示すように、ねじ体９１が螺合する。
電源ボックス７１は回路基板７３を支持する支持部を有している。支持部は回路基板４１と直交する方向から支持する。ここでの支持部は、図１０及び図１１に示すように、回路基板７３と直交する長側壁に設けられたボス７２１，７２３により構成されている。これにより、回路基板７３が基板の厚み方向に移動するのが規制される。電源ボックス７１は回路基板７３の一方の主面に当接又は近接する当接部を有している。ここでの当接部は、図１０に示すように、電源ボックス７１内に設けられた段差７２５により構成されている。
【００２０】
電源ボックス７１は、図１０及び図１１に示すように、複数の部材により構成されている。ここでの電源ボックス７１はボックス本体７２７と蓋体７２９との２部材により構成される。ボックス本体７２７は電源ボックス７１における１つの壁を有しない形状をし、蓋体７２９は前記１つの壁に相当する形状をしている。なお、ここでの前記１つの壁は長底壁である。
ボックス本体７２７と蓋体７２９とには両者を結合させる結合手段が設けられている。ここでの結合手段は係合手段が利用されている。ボックス本体７２７は、図１０及び図１１にしめすように、短側壁に突条部７２７ａ，７２７ａを、裏壁（天壁）に貫通孔７２７ｂをそれぞれ有する。蓋体７２９は、図１０及び図１１にしめすように、突条部７２７ａ，７２７ａに係合する係合片７２９ａ，７２９ａを、貫通孔７２７ｂに係合する係合片７２９ｂをそれぞれ有している。
【００２１】
回路基板７３は、図１０及び図１１に示すように、電源ボックス７１の縦断面における内周形状に略一致した形状をしている。回路基板７３は、基板と直交する方向から見たときに、電源ボックス７１と同様に、長方形板部７３１と正方形板部７３３を有している。回路基板７３にはＬＥＤモジュール３７への電力供給用の金属ピン７５が設けられている。
【００２２】
（１−５）カバー
主に図２〜図４を用いて説明する。
カバー３３は、図４に示すように、主にヒートシンク３１を覆う（収容する）裏側カバー３３１と、ＬＥＤモジュール３７及びレンズ部材３５を覆う（収容する）表側カバー３３３とを有する。
裏側カバー３３１は、有底筒状をし、開口側端部が表側カバー３３３に結合される。裏側カバー３３１は、図３に示すように、筒部３３１ａ及び底部３３１ｂに貫通孔３３１ｃを、筒部３３１ａに貫通孔３３１ｄをそれぞれ有している。
【００２３】
貫通孔３３１ｃは放熱用である。筒部３３１ａの貫通孔３３１ｃは図３に示すように裏側カバー３３１の中心軸に沿って延伸する長尺状をしている。なお、筒部３３１ａの貫通孔３３１ｃはフィン部３１５の各フィン３１３間に対応して設けられており、裏側カバー３３１の外部からヒートシンク３１の中央部への空気の流入や、ヒートシンク３１を冷した後に裏側カバー３３１から外部へ流出する空気の流れがフィン３１３によって妨げられることがなく、円滑に流れるようになっている。底部３３１ｂの貫通孔３３１ｃは、図３に示すように、径方向に延伸する長尺状をし、複数個の貫通孔３３１ｃが全体として放射状に設けられている。
貫通孔３３１ｄは、アーム８への取付用であり、ヒートシンク３１の取付部３１７に螺合するねじ体８５が挿通する。これにより裏側カバー３３１はヒートシンク３１と共にアーム８に姿勢調整可能に取り付けられる。
【００２４】
表側カバー３３３は、図４に示すように、筒部３３３ａと、筒部３３３ａの裏側開口端部から内側に延伸する内鍔部３３３ｂとを有している。内鍔部３３３ｂは、図４に示すように、レンズ部材３５の筒部３５５とヒートシンク３１のベース部３１１との間に嵌る。これにより、表側カバー３３３がヒートシンク３１側に取り付けられる。
表側カバー３３３は筒部３５５の裏側端部の外周部分に段差部３３３ｃを有している。段差部３３３ｃには裏側カバー３３１の開口側端部が嵌合する。これにより、ヒートシンク３１に対してカバー３３が位置決めされた状態で固定される。
【００２５】
（２）プラグボックス
主に図１２〜図１４を用いて説明する。
プラグボックス５は、筐体５１と、筐体５１の裏面に設けられた操作レバー付きの電源プラグ５３と、筐体５１内に収容されたアーム結合部材５５と、電源回路７に接続された電気ケーブルと電源プラグ５３とを接続する電気接続ユニット５７とを備える。
【００２６】
筐体５１はダクトレールに沿って長い中空の直方体状をしている。筐体５１は、裏側に開口を有する筐体本体５１１と、筐体本体５１１の開口を塞ぐ蓋体５１３とを有している。
筐体本体５１１は、図１２及び図１３に示すように、表側に位置する底壁５１１ａの中央部位から表側に突出する突出部５１１ｂを有している。突出部５１１ｂは有底筒状（ここでは有底円筒状である。）に突出し、内部にアーム結合部材５５が収容される。筐体本体５１１は、蓋体５１３を表側から支持する蓋体支持部と、電気接続ユニット５７を表側から支持するユニット支持部と、蓋体を装着するための装着部とを内面に有している。
ここでの蓋体支持部は、図１３に示すように、周壁５１１ｃの内面に設けられた複数のリブ５１１ｄにより構成されている。ここでのユニット支持部は、図１３に示すように、底壁５１１ａに設けられた複数のボス５１１ｅにより構成されている。ここでの装着部は、図１３に示すように、底壁５１１ａに一体に設けられたインサートねじ５１１ｆにより構成されている。インサートねじ５１１ｆは中心軸にねじ穴５１１ｇを有し、ねじ穴５１１ｇに蓋体５１３の裏側から挿通するねじ体９５が螺合する。
【００２７】
蓋体５１３は、図１２及び図１３に示すように、矩形状の板状をし、筐体本体５１１の開口に嵌った状態で筐体本体５１１に装着される。蓋体５１３は長手方向の裏側両端に一対の位置決め部５１３ａ，５１３ａを有している。位置決め部５１３ａは裏側へと延伸してダクトレールの溝に嵌る。
蓋体５１３は中央に貫通孔５１３ｂを有している。蓋体５１３は、筐体５１内に収容された電気接続ユニット５７の移動を規制する規制部と、蓋体５１３を筐体本体５１１に装着するための装着部とを有する。ここでの規制部は、図１２に示すように、表側面（内面）に設けられたリブ５１３ｃにより構成され、リブ５１３ｃの先端が電気接続ユニット５７の固定板５７５に当接又は近接する。ここでの装着部は、図１２及び図１３に示すように、貫通孔５１３ｂを挟んで対向する２つの貫通孔５１３ｄにより構成されている。なお、貫通孔５１３ｄの部位には表側に突出するボス５１３ｅがあり、このボス５１３ｅに貫通孔５１３ｄがある。
【００２８】
電源プラグ５３は、蓋体５１３の貫通孔５１３ｂに嵌り且つ貫通孔５１３ｂから延出する筒状部５３１と、筒状部５３１の内部に配され且つ筒状部５３１の両端から延出する一対の電極板５３２，５３２と、筒状部５３１の裏側の開口から内部に挿入され且つ前記開口を塞ぐ蓋部５３３と、蓋体５１３の表側に配され且つ貫通孔５１３ｂよりも大きい鍔を有する鍔付き筒部５３４と、鍔付き筒部５３４と蓋部５３３とを連結するねじ体５３５（図１２参照）とを有している。
【００２９】
筒状部５３１は、ダクトレールの溝を利用してダクトレールに係合する一対の係合片５３１ａ，５３１ａと、筒状部５３１の長手方向の中央に設けられた「Ｌ」字の操作レバー５３１ｂとを中心軸方向の中間に有している。なお、操作レバー５３１ｂの基部は蓋体５１３の貫通孔５１３ｂよりも大きな円形部分５３１ｃとなっている。
電極板５３２は矩形金属板を湾曲させて構成されている。
蓋部５３３は、筒状部５３１よりも大きい蓋部分５３３ａと、蓋部分５３３ａの表側面から表側に延伸するボス部分とを有し、ボス部分が筒状部５３１内に挿入される。ボス部分にはねじ体５３５用のねじ穴が設けられている（図示省略）。
鍔付き筒部５３４は、図１２に示すように、円板状であって中心を挟んだ２か所に欠け５３４ａを有する鍔部分５３４ｂと、鍔部分５３４ｂの表側から延伸する四角筒部分５３４ｃとを有している。電極板５３２は、鍔付き筒部５３４の欠け５３４ａを通り、四角筒部分５３４ｃの対向する一対の辺の外面に露出する状態で配される。
蓋体５１３の貫通孔５１３ｂよりも大きな筒状部５３１の円形部分５３１ｃが蓋体５１３の裏側にし、蓋体５１３の貫通孔５１３ｂよりも大きな鍔付き筒部５３４の鍔部分５３４ｂが蓋体５１３の表側に位置するため、電源プラグ５３が筒状部５３１の中心軸廻りに回転可能となる。
アーム結合部材５５は、ナット体５５ａとゆるみ止めナット体５５ｂとにより構成される。ナット体５５ａはアーム８から延出するねじ体９７と螺合する。なお、ワッシャ５５ｃは、図３に示すように筐体５１の外側に配されるが、図１２及び図１３においては、ナット体５５ａ、ゆるみ止めナット体５５ｂと合わせて示している。
【００３０】
電気接続ユニット５７は、電源回路ユニット７７に接続された電気ケーブルが接続される一対の接続端子片５７１，５７１と、接続端子片５７１，５７１を固定する固定板５７５とを有する。各接続端子片５７１は、「Ｌ」字状をする金属板５７７と、「Ｌ」を構成する短辺部分に設けられ且つ電気ケーブルが接続される接続ピン５７９とを有する。
固定板５７５は、「Ｈ」字状をし、貫通孔を有している。中央の貫通孔５７５ａには電源プラグ５３の四角筒部分５３４ｃが嵌る。貫通孔５７５ａを挟んだ２つの貫通孔５７５ｂは電源ケーブル用である。貫通孔５７５ａを挟んだ２つの貫通孔５７５ｃは筐体本体５１１のボス５１１ｅが嵌合するためのものである。
「Ｈ」字状を構成する長手方向の両側の欠け５７５ｄは筐体本体５１１の底壁５１１ａに存在するインサートねじ５１１ｆ用である。固定板５７５は、「Ｈ」字状を構成する一方の延出片５７５ｅが、他方の延出片５７５ｆよりも短くなっている。これにより、筐体本体５１１に蓋体５１３を取り付けた状態で、蓋体５１３に設けられたリブ５１３ｃが延出片５７５ｅの先端部に強く当接しても変形し難くなっている。
固定板５７５の裏面には、裏側に延伸して金属板５７７を挟むように裏側に延伸する一対の挟持リブ５７５ｇが複数組設けられている。固定板５７５の裏面には「Ｌ」字状に延伸する固定リブ５７５ｈが設けられている。固定リブ５７５ｈは電気ケーブルを固定する。
【００３１】
（３）アーム
主に図１〜図４を用いて説明する。
アーム８は直方体状のプラグボックス５の表側の面（壁）の中央に取り付けられている。アーム８は、図１及び図４に示すように、中空の「Ｕ」字をし、「Ｕ」字の開口側が表側に位置するように取り付けられる。開口側の一対の端部８１，８１で、裏側カバー３３１とヒートシンク３１とを含む灯体３の外側面を回転自在に挟持する。ここでの回転軸は一対の端部８１，８１を結ぶ仮想線である。アーム８は、開口側の一対の端部８１，８１と反対側（裏側）に貫通孔８３を有し、内部に配されたねじ体９７が、当該貫通孔８３から延出してプラグボックス５の突出部５１１ｂの貫通孔５１１ｈから内部に入り、ナット体５５ａと螺合する。
【００３２】
以上、実施形態を説明したが、この実施形態に限られるものではなく、例えば、以下のような変形例であってもよい。また、実施形態と変形例、変形例同士を組み合わせたものであってよい。また、実施形態や変形例に記載していていない例や、要旨を逸脱しない範囲の設計変更があっても本発明に含まれる。
【００３３】
＜変形例＞
１．灯体
実施形態における灯体３は複数個のＬＥＤ素子３７１を備えていたが、１個のＬＥＤ素子を備えてもよい。灯体３は、レンズ部材３５をヒートシンク３１に取り付けていたが、例えば、カバーにレンズ部材を取り付けるようにしてもよい。
実施形態における灯体３はベース部３１１の裏側にフィン部３１５を有していたが、ＬＥＤ素子からの発熱量が少ない場合はフィン（フィン部）を有しなくてもよい。ヒートシンクのフィンは、ヒートシンクを裏側から見たときに、矩形状をする電源ボックスの短辺（短側壁）と対向する領域にも存在してもよい。フィンの形状は、板状でもよいし、円柱状でもよく、形状、個数、大きさ等はＬＥＤ素子の発熱量に合わせて適宜決定することができる。
実施形態におけるカバー３３は裏側カバー３３１と表側カバー３３３との２部材で構成されていたが、例えば、１つのカバーで構成されてもよいし、３以上の部材で構成されてもよい。
【００３４】
２．プラグボックス
実施形態におけるプラグボックス５は、内部に電源回路を構成する回路部品を収容していないが、電源回路を構成する回路部品の一部を収容してもよい。例えば、商用電源を直流電源に変換するＡＤ変換回路を構成する回路部品を筐体内に収容し、直流電源からＬＥＤ素子に供給する直流電源に変換するＤＤ変換回路を構成する回路部品を灯体内に収容してもよい。
実施形態におけるプラグボックス５はダクトレール取付用のプラグとして電源プラグ５３を備えているが、例えば、電源プラグ５３の他に電気的接続機能を有しない固定プラグを１以上有してもよい。
プラグボックス５は電源プラグ５３と電気ケーブルとの接続に電気接続ユニット５７を利用しているが、例えば、電気接続ユニットを利用せずに電源プラグ５３の電極板５３２と電気ケーブルとを直接接続するようにしてもよい。
実施形態ではダクトレールへの取り付け方向が明確となるようにプラグボックスを直方体状としたが、裏側面が電源プラグを配置できる大きさであれば、立方体状や縦円筒状であってもよい。
【００３５】
３．電源回路
実施形態における電源回路は、上記のように、回路を構成するすべての回路部品が灯体３側に収容されているが、回路を構成する複数個の回路部品のうち、１以上の回路部品が灯体側に収容されていればよい。１以上の回路部品を灯体側に収容することで、プラグボックス内に収容する回路部品の個数が少なくなり、プラグボックスの大きさを決定する際の自由度が増す。
実施形態における電源回路ユニット７７は、電源ボックス７１に電源回路７を収容していたが、例えば、ヒートシンクを樹脂材料で構成する場合、ＬＥＤ素子の発光時（点灯中）のヒートシンクの温度が低い場合、電源ボックスを利用せずに電源回路をベース部の裏側に配してもよい。また、電源ボックスの代わりに、絶縁性の筒体やフィルム体で覆うようにしてもよい。実施形態における電源回路７とＬＥＤモジュール３７との接続に金属ピン７５を利用したが、電気ケーブルを利用してもよい。
【００３６】
電源ボックスの形状、大きさは、特に限定するものではない。材料も樹脂に限らず金属であってもよい。また、電源ボックスの支持方法も特に限定するものではい。しかしながら、ＬＥＤ素子の発熱量が大きい場合には、回路基板を収容する部分がヒートシンクから離れている（熱伝導しない）のが好ましい。また、ＬＥＤ素子の発熱量が大きい場合には、ヒートシンクと接触する面積は小さい方が好ましい。実施形態では一対の延伸板部７１７がベース部３１１と接触していたが、例えば、３本以上の延伸棒でベース部と接触するようにしてもよい。なお、安定した状態で電源ボックスをベース部に固定するのが好ましい。
実施形態の電源ボックス７１はベース部３１１に固定されていたが、電源ボックスは、ベース部の裏側に固定されればよく、例えば、フィンに固定されてもよい。
【符号の説明】
【００３７】
１    照明装置
３    灯体
５    プラグボックス
７    電源回路ユニット
８    アーム
３１    ヒートシンク
５１    筐体
５３    電源プラグ
７１    電源ボックス
７３    回路基板
７７    電源回路ユニット
３１１    ベース部
３１３    フィン
【図１】
0006762602.tif 000002
【図２】
0006762602.tif 000003
【図３】
0006762602.tif 000004
【図４】
0006762602.tif 000005
【図５】
0006762602.tif 000006
【図６】
0006762602.tif 000007
【図７】
0006762602.tif 000008
【図８】
0006762602.tif 000009
【図９】
0006762602.tif 000010
【図１０】
0006762602.tif 000011
【図１１】
0006762602.tif 000012
【図１２】
0006762602.tif 000013
【図１３】
0006762602.tif 000014
【図１４】
0006762602.tif 000015